(57)【要約】流体吸収性テープは各セクションに分割され、それらのセクションは分離することができて、テープの長さをカスタマイズし、簡単に使用できるようになる。本発明の一実施形態では、流体吸収性テープは、流体透過性カバーに封入された細長い流体吸収性テープを形成する吸収性材料からなる。この細長い流体吸収性テープの横断方向に分離用構造部が形成されており、これにより、細長いテープを、流体吸収性テープの第１セクションと流体吸収性テープの第２セクションとに分割する。流体吸収性テープの第１セクションは、流体吸収性テープの第２セクションから分離用構造部に沿って分離可能である。本発明の他の実施形態では、流体吸収性テープは、超吸収性ポリマーを含む流体吸収性材料からなる。長さを有する細長い流体透過性カバーは、流体吸収性材料を封入し、長さに沿って各セクションに分割される。各セクションの各々は、流体吸収性材料が端部を通ってセクションから抜け出ることを阻止するように、閉鎖された端部を有する。
2007532175.tif 000002
【特許請求の範囲】
【請求項１】
吸収性材料と、
前記吸収性材料を封入して細長い流体吸収性テープを形成する流体透過性カバーと、
前記細長い流体吸収性テープの横断方向に形成された分離用構造部を備えてなり、前記分離用構造部が、前記細長いテープを、流体吸収性テープの第１セクションと流体吸収性テープの第２セクションとに分割するものであり、流体吸収性テープの前記第１セクションが流体吸収性テープの前記第２セクションから前記分離用構造部に沿って分離可能であることを特徴とする流体吸収性テープ。
【請求項２】
前記分離用構造部が、前記流体吸収性テープの前記第１セクションと前記第２セクションのそれぞれの端部を画定し、前記第１セクションと前記第２セクションの少なくとも一方の端部が閉鎖されている請求項１に記載の流体吸収性テープ。
【請求項３】
超吸収性材料が、前記流体吸収性テープの前記第１セクションと前記流体吸収性テープの前記第２セクションの間の前記分離用構造部にわたって拡がっている請求項１に記載の流体吸収性テープ。
【請求項４】
前記分離用構造部が、カバーに形成された複数の打ち抜き穴である請求項１に記載の流体吸収性テープ。
【請求項５】
前記流体吸収性テープに複数の分離用構造部が形成され、前記複数の分離用構造部の前記分離用構造部が、前記流体吸収性テープの幅にわたって形成され、前記流体吸収性テープの長さに沿って間隔を置いて配置されていて、端と端が接した関係で接合された複数のセクションを形成する請求項１に記載の流体吸収性テープ。
【請求項６】
前記分離用構造部が、前記テープの前記長さに沿って規則的な間隔で形成されている請求項５に記載の流体吸収性テープ。
【請求項７】
前記吸収性材料が超吸収性ポリマーである請求項１に記載の流体吸収性テープ。
【請求項８】
前記流体透過性カバーが、縦方向の折り目と実質的に並行に延びる縦方向の縁部を有する細長い流体透過性材料片から形成されており、前記片は縦方向の折り目あたりで前記吸収性材料をおおうように折り畳まれており、前記片の前記縦方向の各縁部が一緒に接合されている請求項１に記載の流体吸収性テープ。
【請求項９】
前記流体吸収性テープが表面に固定可能である請求項１に記載の流体吸収性テープ。
【請求項１０】
テープに隣接する表面を保護するための材料からなる流体不透過性片を含む請求項１に記載の流体吸収性テープ。
【請求項１１】
流体透過性カバーによって封入されて、細長い流体吸収性テープを形成する細長い吸収性材料片と、
前記細長い流体吸収性材料に沿って縦方向に間隔を置いて配置された、前記細長い流体吸収性テープを端と端が接した関係を有する接合された各セクションに分割する複数の分離用構造部を備えてなり、前記セクションの各々が、前記複数の分離用構造部の１つに沿って前記セクションのうちの隣接する１つから分離可能であることを特徴とする流体吸収性テープ。
【請求項１２】
前記分離用構造部が、前記流体吸収性テープの前記第１セクションと前記第２セクションのそれぞれの端部を画定し、前記第１セクションと前記第２セクションの少なくとも一方の端部が閉鎖されている請求項１１に記載の流体吸収性テープ。
【請求項１３】
前記吸収性材料が、前記流体吸収性テープの前記第１セクションと前記流体吸収性テープの前記第２セクションとの間の前記分離用構造部にわたって拡がっている請求項１１に記載の流体吸収性テープ。
【請求項１４】
前記分離用構造部が、前記カバーに形成された複数の打ち抜き穴である請求項１１に記載の流体吸収性テープ。
【請求項１５】
前記分離用構造部が、前記テープの長さに沿って規則的な間隔で形成されている請求項１１に記載の流体吸収性テープ。
【請求項１６】
前記吸収性材料が超吸収性ポリマーである請求項１１に記載の流体吸収性テープ。
【請求項１７】
前記流体透過性カバーが、縦方向の折り目と実質的に並行に延びる縦方向の縁部を有する細長い流体透過性材料片から形成されており、前記片は縦方向の折り目あたりで前記吸収性材料をおおうように折り畳まれており、前記片の前記縦方向の各縁部が一緒に接合されている請求項１１に記載の流体吸収性テープ。
【請求項１８】
前記流体吸収性テープが表面に固定可能である請求項１１に記載の流体吸収性テープ。
【請求項１９】
テープに隣接する表面を保護するための材料からなる流体不透過性片を含む請求項１１に記載の流体吸収性テープ。
【請求項２０】
超吸収性ポリマーを含む流体吸収性性材料と、
長さを有し、前記流体吸収性材料を封入する細長い流体透過性カバーを備えてなり、前記カバーが前記長さに沿って各セクションに分割されており、前記セクションの各々が、少なくとも１つの閉鎖された端部を有し、前記流体吸収性材料が、前記閉鎖された端部を通って前記セクションから抜け出るのを阻止するものであることを特徴とする流体吸収性テープ。
【請求項２１】
前記吸収性材料が前記少なくとも１つの閉鎖された端部を通って拡がっている請求項２０に記載の流体吸収性テープ。
【請求項２２】
前記セクションが分離用構造部によって分割されている請求項２０に記載の流体吸収性テープ。
【請求項２３】
前記分離構造部が、前記カバーに形成された複数の打ち抜き穴である請求項２２に記載の流体吸収性テープ。
【請求項２４】
前記セクションが実質的に同じ長さである請求項２０に記載の流体吸収性テープ。
【請求項２５】
前記流体透過性カバーが、縦方向の折り目と実質的に並行に延びる縦方向の縁部を有する細長い流体透過性材料片から形成されており、前記片は縦方向の折り目あたりで前記吸収性材料をおおうように折り畳まれており、前記片の前記縦方向の各縁部が一緒に接合されている請求項２０に記載の流体吸収性テープ。
【請求項２６】
前記流体吸収性テープが表面に固定可能である請求項２０に記載の流体吸収性テープ。
【請求項２７】
テープに隣接する表面を保護するための材料からなる流体不透過性片を含む請求項２０に記載の流体吸収性テープ。
【請求項２８】
閉鎖された端部によって分割され、端と端が接する関係で接合されて、細長いテープを形成する複数のセクションを備えてなり、前記セクションのそれぞれが超吸収性ポリマーを含むことを特徴とする流体吸収性テープ。
【請求項２９】
前記超吸収性ポリマーが、前記セクションの少なくとも１つの前記閉鎖された端部の少なくとも1つを通って拡がっている請求項２８に記載の流体吸収性テープ。
【請求項３０】
前記セクションが分離用構造部によって分割されている請求項２８に記載の流体吸収性テープ。
【請求項３１】
前記分離用構造部が複数の打ち抜き穴である請求項３０に記載の流体吸収性テープ。
【請求項３２】
前記セクションが実質的に同じ長さである請求項２８に記載の流体吸収性テープ。
【請求項３３】
前記超吸収性ポリマーが流体透過性カバーに封入されている請求項２８に記載の流体吸収性テープ。
【請求項３４】
前記カバーが、縦方向の折り目と実質的に並行に延びる縦方向の縁部を有する細長い流体透過性材料片から形成されており、前記片は縦方向の折り目あたりで前記超吸収性ポリマーをおおうように折り畳まれており、前記片の前記縦方向の各縁部が一緒に接合されている請求項３３に記載の流体吸収性テープ。
【請求項３５】
前記流体吸収性テープが表面に固定可能である請求項２８に記載の流体吸収性テープ。
【請求項３６】
テープに隣接する表面を保護するための材料からなる流体不透過性片を含む請求項２８に記載の流体吸収性テープ。
【請求項３７】
分離用構造部によって分割され、かつ端と端が接する関係で接合されていて、細長いテープを形成する複数のセクションを備えてなり、前記セクションのそれぞれが超吸収性ポリマーを含むことを特徴とする流体吸収性テープ。
【請求項３８】
前記超吸収性ポリマーが前記分離用構造部を通って拡がっている請求項３７に記載の流体吸収性テープ。
【請求項３９】
前記セクションのそれぞれが、前記超吸収性ポリマーを含む内部容積を画定する流体透過性カバーを含む請求項３７に記載の流体吸収性テープ。
【請求項４０】
前記セクションのうち少なくとも１つの前記容積が、前記１つのセクションの閉鎖された端部相互間に拡がっている請求項３９に記載の流体吸収性テープ。
【請求項４１】
前記分離用構造部が複数の打ち抜き穴である請求項３７に記載の流体吸収性テープ。
【請求項４２】
前記セクションが実質的に同じ長さである請求項３７に記載の流体吸収性テープ。
【請求項４３】
前記カバーが、縦方向の折り目と実質的に並行に延びる縦方向の縁部を有する細長い流体透過性材料片から形成されており、前記片は縦方向の折り目あたりで前記超吸収性ポリマーをおおうように折り畳まれており、前記片の前記縦方向の各縁部が一緒に接合されている請求項３９に記載の流体吸収性テープ。
【請求項４４】
前記流体吸収性テープが表面に固定可能である請求項３７に記載の流体吸収性テープ。
【請求項４５】
テープに隣接する表面を保護するための材料からなる流体不透過性片を含む請求項３７に記載の流体吸収性テープ。
【発明の詳細な説明】
【技術分野】
【０００１】
本発明は、流体吸収性テープ、詳しくはある表面上の流体流動を管理制御する吸収性材料からなる細長い流体吸収性テープに関する。
【背景技術】
【０００２】
床仕上げ剤を床から取り除くとき、水性剥離溶液がしばしば床に塗布される。多くの建物の床は、完全に水平であることがほとんどないことから、剥離溶液は床の低い点へと流れる。残念ながら、それらの低い点は、都合良く剥離する区域内にあるとは限らない。その結果、剥離溶液は、剥離する区域の外に出て、扉、作り付け備品、家具、飾り棚の下へ流れ込んだり、あるいは床を外れて絨毯などの付近の表面へと流れ出る。これは、付近の区域を仕上げ直しする不必要な追加作業、深刻な錆などの作り付け備品への損傷、あるいは絨毯の変色などの付近の表面への恒久的な損傷を生じさせる可能性がある。さらに、大量の剥離溶液を床から除去し、新たな仕上げ剤を塗布すると、作り付け備品、家具、および飾り棚の下に流れ込んでいた剥離溶液が、新たな仕上げ剤に再び染込んでいき、追加の修復作業または新たな仕上げ剤への見苦しい損傷を生じさせる可能性がある。
【０００３】
現状における方法としては、剥離用材料の流れを管理するための手立てを何も講じず、損傷が起こった際に修復するか、あるいはプラスチック・シートおよびマスキング・テープを使用して、剥離する表面の縁部を密封するというものである。剥離する表面の縁部を密閉するというやり方は、時間が掛かるという点で問題があり、作業者が手と膝をついて床に前かがみとなったりまたは床を這わなければならないことから困難であり、また床のでこぼこまたはテーピング・プロセスが、剥離溶液が通り抜けるような漏れ口や隙間を生じさせる。漏れ液吸収パッド（ｐａｄ）またはピッグ（ｐｉｇ）を利用することもできるが、それらは長さが固定したものしか提供されておらず、広い面積で使用するには一般的にコストが高すぎる。
【発明の開示】
【発明が解決しようとする課題】
【０００４】
したがって、使用し易く、様々な大きさの区域にカスタマイズできる流体吸収性テープが必要となる。
【課題を解決するための手段】
【０００５】
本発明は、各セクションに分割することができる流体吸収テープを提供する。これらのセクションは各々分離することができて、テープの長さをカスタマイズし、簡単に使用できる。本発明の一実施形態では、流体吸収テープは、流体透過性カバーに封入されて細長い流体吸収性テープを形成する吸収性材料からなる。この細長い流体吸収性テープの横断方向に形成された分離構造部が、細長いテープを、流体吸収性テープの第１セクションと、流体吸収性テープの第２セクションとに分割する。流体吸収性テープの第１セクションは、流体吸収性テープの第２セクションから分離構造部に沿って分離可能である。本発明の他の実施形態では、流体吸収性テープは、超吸収性ポリマーを含む流体吸収性材料からなる。所定の長さを有する細長い流体透過性カバーは、流体吸収性材料を封入し、その長さに沿ってセクションに分割される。セクションの各々は、流体吸収性材料がその端部を通ってセクションから抜け出たり外れたりすることを阻止するように、閉鎖された端部を有する。
【０００６】
本発明の全般的な目的は、カスタマイズ可能な長さを有する流体吸収性テープを提供することである。この目的は、流体吸収性テープを数個のセクションに分割することによって達成される。
【０００７】
本発明の他の目的は、カスタマイズ可能な、使い易い流体吸収性テープを提供することである。この目的は、本発明の一実施形態では、流体吸収性テープを所望の短い長さへ短くすることを簡略化する分離用構造部を使用して、流体吸収性テープを複数のセクションに分割することによって達成される。
【０００８】
本出願のさらに他の目的は、カスタマイズ可能な、追加の作業を生み出さない流体吸収性テープを提供することである。この目的は、本発明の一実施形態では、流体吸収性テープを各セクションに分割し、それらのセクションの端部を閉鎖して、吸収性材料がセクションの端部から抜け出たり毀れ出ないようにすることによって達成される。
【０００９】
本発明の以上および他の目的および利点は、以下の記述から明らかとなろう。この記述では、本明細書の一部を構成する添付図面を参照するが、そこでは本発明の好ましい実施形態が例証として示してある。しかしこのような実施形態は、必ずしも本発明の範囲の全てを表すとは限らず、したがって、本発明の範囲を解釈するために、ここに掲げる特許請求の範囲を参照する。
【発明を実施するための最良の形態】
【００１０】
図１〜３に示す、ある表面上の流体の流動を管理制御するのに使用する流体吸収性テープ１０は、流体透過性カバー１４に封入される吸収性材料１２を備えている。テープ１０は、テープ両端部１６の間に延びる細長い長さと、縦方向の縁部１８、２０の間を横断方向に延びる幅とを有する。好ましい実施形態では、縦方向の縁部１８、２０の間を横断方向に延びる分離用構造部２８によって、長さがセクション２２、２４、２６に分割されるが、分離構造部２８は、使用者がテープ１０の所望の短い長さを容易に選択して、表面の流体流動を管理することを可能にする。テープ１０の短い長さは、所望の短い長さに対応する隣接するセクション２４、２６を分離することによって選択される。
【００１１】
吸収性材料１２は、それ自体の何倍もの重量の水性流体を吸収することができるポリアクリレート吸収剤などの、市販されている超吸収性ポリマー（ＳＡＰ）であることが好ましい。吸収性材料１２が、繊維状、粒状、粉状、ゲル状などの任意の形態であっても、本発明の範囲から逸脱しない。さらに、吸収性材料１２が粒状または粉状形態で設けられる場合、その粉または粒は、小型の流体透過性または流体溶解性の枕部材（ｐｉｌｌｏｗ）または袋部材（ｐａｃｋｅｔ）に封入することができ、それらは、吸収性材料１２が流体の吸収によって膨張するにつれ、膨張または破裂することができる。ＳＡＰなどの、水性流体を吸収する吸収性材料が好ましいが、粘土、スポンジ材料、石油吸収性材料などの、管理する流体を吸収することのできる適切な任意の吸収性材料を使用することも、本発明の範囲から逸脱しない。
【００１２】
吸収性材料１２は、不織布から形成されるような細長い流体透過性カバー１４の中に封入される。カバー１４は、流体がそこを通って流れ、吸収性材料１２によって吸収されるのを可能にする。例えば「注意」という文字などの印、アイコンなどをカバーに印刷して、歩行者に、吸収テープ１０によって表面の流体が管理されていることを警告することが好ましい。さらに、不織布から形成された流体透過性カバー１４を用いることが好ましいが、カバー１４は、織布、貫通するように形成された穴を有する、プラスチックなどの流体不透過性材料などの、流体周囲の状況の悪化をきたさずに流体が通過するのを可能にする適切な任意の材料から形成することもできる。
【００１３】
図３を参照すると、カバー１４は、（図１に最も良く示す）縦方向の折り目３６と実質的に並行に延びる縦方向の縁部３２、３４を有する細長い不織布片又はストリップから形成される。この細長い片又はストリップは、ほぼ縦方向の折り目３６又はそのあたりで吸収性材料１２上におおうように折り畳まれ、細長い片の縦方向の縁部３２、３４は、熱溶接、音波溶接、接着剤などによって一緒に接合されて、吸収性材料１２を含む内部容積３８を画定する。当然ながら、カバー１４は、例えば、対面する２つの細長い流体透過性材料片の縦方向の各縁部同士を接合すること、流体透過性材料から細長い円筒状スリーブを形成することなどの、当技術分野で知られている他の方法で形成することもできる。
【００１４】
カバー１４の内部容積３８は、吸収性材料１２が流体で飽和されるに従って、カバー１４を破裂させることなく、吸収性材料１２が膨張できるように寸法決めされる。これは、飽和した吸収性材料の体積よりも大きな内部容積３８を準備することによって達成することができる。当然ながら、例えば、カバーにひだ又はプリーツを形成すること、カバーを流体透過性で膨張性の材料から形成することなどのような、容積が膨張することを可能にする他の方法を使用することも、本発明の範囲から逸脱しない。
【００１５】
図１〜３を再度参照すると、細長い流体吸収性テープ１０は、分離用構造部２８によって、端と端が接した関係（ｅｎｄ  ｔｏ  ｅｎｄ  ｒｅｌａｔｉｏｎ）を有する接合されたセクション２２、２４、２６に分割されており、分離用構造部２８は、吸収性テープ１０を簡単に所望長さに短縮するのを可能にする。図には３つのセクション２２、２４、２６しか示していないが、流体吸収性テープ１０が、任意の数のセクションを有しても、本発明の範囲から逸脱しない。分離用構造部２８は、セクション２２、２４、２６を特別な道具を用いることなしに分離することを可能にする、テープ１０の縦方向の縁部１８から縁部２０までの間に設けた複数の打ち抜き穴であることが好ましい。分離用構造部２８は、１フィート毎などのような規則的な間隔でテープ１０に形成されていて、端と端同士が接した関係で、一定長さのセクションをテープ１０の長さに沿って形成することが、最も好ましい。打ち抜き穴は小さくかつ形成し易いことから、好ましい分離用構造部２８を形成するが、例えば、各セクションの間に断続的にテープを貫通して形成されるスリット、テープの縦方向の縁部のみに形成される切り目(ｃｕｔ)、各セクションの間に形成される穴などの他の構造部を使用して各セクションを画定することもでき、これにより使用者が、テープの所望の短い長さを簡単に選択して表面上の流体の流動を管理することが可能になる。
【００１６】
テープ１０の各セクション２２、２４、２６には、分離用構造部２８によって画定される端部４２、４４が含まれる。各セクション２２、２４、２６の各端部４２、４４は、吸収性材料１２が端部４２、４４を通ってセクション２２、２４、２６から抜け外れ出るのを阻止するように、閉鎖することが好ましい。端部４２、４４は、分離構造部２８に隣接するか、またはそこの全域に位置するカバー１４を一緒に音波溶接または熱溶接することによって閉鎖することが好ましい。当然ながら、各セクション２２、２４、２６の端部４２、４４を閉鎖するために、接着剤、機械的締具などの、材料を接合するために用いられる当技術分野で知られている他の方法を使用することも、本発明の範囲から逸脱しない。さらに、分離用構造物２８が設けられない場合には、セクション２２、２４、２６は、各セクション２２、２４、２６の閉鎖された端部４２、４４によって画定することができる。当然ながら、分離用構造部２８が設けられない場合には、流体吸収性テープ１０の所望の短い長さに対応するセクション２４、２６を分離するために、はさみ、ナイフなどの道具を必要とすることもできる。
【００１７】
セクションの端部４２、４４を閉鎖する程度は、使用する特定の吸収性材料１２によって決まる。例えば、吸収性材料１２が相互噛合繊維（ｉｎｔｅｒｍｅｓｈｅｄ  ｆｉｂｅｒｓ）の形態である場合には、吸収性材料が抜け出ないように、テープの縁部１８と２０の間の１つまたは複数の点でカバー１４を単に留めることが好ましい。しかし、吸収性材料１２が粉状形態である場合には、端部４２、４４をテープ１０の幅全体にわたって密閉する（ｓｅａｌ）ことが好ましい。しかし、本発明の範囲内となるためには、各セクションの端部４２、４４を密閉する（ｓｅａｌ）ように、また吸収性材料１２が閉鎖した（ｃｌｏｓｅｄ）端部４２、４４から全く抜け出ないように、端部４２、４４をそれぞれセクション２２、２４、２６の幅全体にわたって閉鎖する（ｃｌｏｓｅ）必要はない。
【００１８】
剥離性接着剤４８を流体吸収性テープ１０の長さに沿って設けて、テープ１０を表面上の適当な位置に保持し、最初の流体障壁として作用させることができる。接着剤４８はカバー１４に直接塗布して、使用前に取り外す剥離ライナ５０で覆うことができる。接着剤４８は各セクション２２、２４、２６の一部分に塗布することができ、剥離ライナ５０がセクション２２、２４、２６の間に拡がるのを避けることができる。別法として、剥離ライナ５０には、流体吸収性テープ１０に形成された分離用構造部２８と位置合わせされた分離用構造部を設けることができる。カバー１４に接着結合された、剥離ライナが両面テープの外向き側を覆うように設けられた両面接着テープを使用して、流体吸収性テープ１０を表面に固定することもでき、それも本発明の範囲から逸脱しない。
【００１９】
有利に、流体吸収性テープ１０は、簡単に保管し運搬できるようにロール（巻物）の形態または箱詰めの経本折りの形態で、１０、２５、５０、１００、２００フィートなどの任意の長さで提供することができる。流体吸収性テープ１０は、表面上の流体を管理するのに必要な長さ分だけが、箱から取り出され、またはロールから引っ張り出される。
【００２０】
使用に際して、流体吸収性テープ１０は箱から取り出され、またはロールから引っ張り出され、流体吸収性テープの所望長さに対応する流体吸収性テープの隣接するセクション２２、２４が分離される。未使用の流体吸収性テープのセクション２６は、後で使用するために箱内でまたはロールに接合されたままとなる。流体吸収性テープ１０の所望長さが一度決定され、残る流体吸収性テープ１０から分離されると、短い長さのテープ１０は流体から保護される表面に隣接する表面に設置される。
【００２１】
剥離溶液などの流体が流体吸収性テープ１０と接触すると、流体はカバー１４を通過し、吸収性材料１２によって吸収される。有利なことに、ＳＡＰなどの吸収性材料１２はまた、大幅に膨らむことができて、使用者が床に剥離溶液を塗り、または剥離溶液を床に注ぐ間に起こるような、流体の大きな流れに対して、物理的な障壁を形成する。
【００２２】
保護される表面に隣接しかつ流体を含む表面に直接、流体吸収性テープ１０を設置すると、これにより隣接表面が保護され、剥離溶液で床から剥離する際、流体吸収性テープ１０は、剥離溶液が流体吸収性テープ１０の直ぐ下の表面に接触するのを可能にし、そのようにして表面のその区域に剥離溶液を塗る必要性をなくし、剥離溶液が保護される隣接表面上に流れ込む危険を解消する。
【００２３】
図４および５では、第１実施形態と同じ構成要素を指すのに同じ参照番号を使用するが、これらで示す一実施形態では、吸収性材料１２は、流体吸収性テープ１１０の縦方向の縁部１８、２０に沿って、分離用構造部２８にわたって拡がるよう設けられている。テープ１１０の中央部分５４は、縦方向の縁部１８、２０から内側に離隔して配置されており、分離用構造部２８にわたって拡がって設けられているが、この場合にはその中央部分は吸収性材料１２を有さず、これによって、カバー１４のほんの僅かな部分のみ一緒に直接接合してセクション２２、２４、２６の端部４２、４４を閉鎖する。有利なことに、これによって、隣接セクション２２、２４、２６の間の流体吸収性テープ１１０を通過する流体の流動を最小限に抑えるように、吸収性材料１２が、分離用構造部２８にわたって設けられる。
【００２４】
図６では、第１実施形態と同じ構成要素を指すのに同じ参照番号を使用するが、ここで示す一実施形態では、例えば、プラスチックなどの材料からなる流体不透過性の細長い材料片６０が、接着剤、溶接などによって、流体吸収性テープ２１０の長さに沿ってカバー１４に接合される。流体不透過性の細長い材料片６０は、流体を上に有する表面に隣接する、絨毯または壁などの別の表面の上に敷設することができ、これによって流体のはねかけ（ｓｐｌａｓｈｉｎｇ）またはスプレーしぶき（ｏｖｅｒｓｐｒａｙ）から隣接表面を保護する。流体不透過性の細長い材料片６０を隣接表面に接着して、隣接表面が覆われた状態であることを保証するために、剥離性接着剤６２を使用することができる。
【００２５】
上記に開示したように、床上に存する剥離溶液などのような、表面上の流体流れを制御し管理するために、流体吸収性テープ１０、１１０、２１０を使用することができる。しかし、窓からの凝縮液、冷却ユニットからの排水、洗浄用溶液、いろんな種類の大量流出液などの、吸収性材料によって吸収することのできる任意の流体を管理するために流体吸収性テープ１０、１１０、２１０を使用することも、本発明の範囲から逸脱しない。
【００２６】
本発明の好ましい実施形態であると現在考えられるものを以上に示し述べたが、当業者には、添付の特許請求の範囲によって画定される本発明の範囲から逸脱することなく、様々な変更および修正が可能であることが明白であろう。
【図面の簡単な説明】
【００２７】
【図１】本発明を基礎とする流体吸収性テープの平面図である。
【図２】図１の線２−２に沿った断面図である。
【図３】図１の線３−３に沿った断面図である。
【図４】本発明を組み込む流体吸収性テープの他の実施形態の平面図である。
【図５】図４の線５−５に沿った断面図である。
【図６】本発明を基礎とする流体吸収性テープの他の実施形態の断面図である。
【図１】
2007532175.tif 000003
【図２】
2007532175.tif 000004
【図３】
2007532175.tif 000005
【図４】
2007532175.tif 000006
【図５】
2007532175.tif 000007
【図６】
2007532175.tif 000008
【国際調査報告】
2007532175.tif 000009
2007532175.tif 000010